(57)【特許請求の範囲】
【請求項１】
流体管に穿設された分岐口内に挿入可能な押え駒と、この押え駒の外周面に嵌合され、かつ内方の端面が押え駒の先端の拡径部と当接するパッキンと、前記押え駒に、移動手段によって相対移動可能に設けられ、かつ前記パッキンの外方の端面を押圧して径方向に弾性変形させることにより、その外周面を前記分岐口に圧設させるパッキン押えと、前記押え駒内に管軸方向に移動可能として設けられ、かつ先端部が押え駒より突出することにより、流体管の内周面に係合しうる少くとも１対の係止部材とを備える分岐口の閉塞装置において、
前記押え駒内には、側面視ほぼ三角板状をなす作動駒が収容され、該作動駒には、その外周面に末広がり状に傾斜する案内面が形成されるとともに、その頂部に連設した角軸部を、押え駒の角形の軸孔に対して相対回転不能に貫設させており、該作動駒を押え駒内に収容した圧縮コイルばねにより流体管の外方に向かって付勢するとともに、前記角軸部を前記押え駒の外部から操作することによって、前記作動駒が角軸部の軸方向に移動可能に構成されており、
前記少くとも１対の係止部材同士を、引張り手段をもって互いに接近する方向に付勢して連係するとともに、前記係止部材の基端面が、前記作動駒の案内面上に摺動可能に当接されており、
係止部材の基端部に切欠溝を形成するとともに、作動駒の案内面の先端部にストッパ部を形成し、前記切欠溝と前記ストッパ部とが、作動駒の最外方への移動時に係合し、係止部材を突出状態に保持するようにしたことを特徴とする分岐口の閉塞装置。
【請求項２】
流体管に穿設された分岐口内に挿入可能な押え駒と、この押え駒の外周面に嵌合され、かつ内方の端面が押え駒の先端の拡径部と当接するパッキンと、前記押え駒に、移動手段によって相対移動可能に設けられ、かつ前記パッキンの外方の端面を押圧して径方向に弾性変形させることにより、その外周面を前記分岐口に圧設させるパッキン押えと、前記押え駒内に管軸方向に移動可能として設けられ、かつ先端部が押え駒より突出することにより、流体管の内周面に係合しうる少くとも１対の係止部材とを備える分岐口の閉塞装置において、
前記押え駒内には、円錐形状をなす作動駒が収容され、該作動駒には、その外周面に末広がり状に傾斜する案内面が形成されるとともに、その頂部に連設したねじ杆を、押え駒に対して相対回転可能に螺合させており、該ねじ杆を前記押え駒の外部から操作することによって、前記作動駒がねじ杆の軸方向に移動可能に構成されており、
前記少くとも１対の係止部材同士を、引張り手段をもって互いに接近する方向に付勢して連係するとともに、前記係止部材の基端面が、前記作動駒の案内面上に摺動可能に当接されており、
係止部材の基端部に切欠溝を形成するとともに、作動駒の案内面の先端部にストッパ部を形成し、前記切欠溝と前記ストッパ部とが、作動駒の最外方への移動時に係合し、係止部材を突出状態に保持するようにしたことを特徴とする分岐口の閉塞装置。
【請求項３】
係止部材と作動駒の案内面との互いの摺接面の少くともいずれか一方を、硬質かつ摩擦係数の小さな材料により被覆した請求項１または２に記載の分岐口の閉塞装置。
【発明の詳細な説明】
【０００１】
【発明の属する技術分野】
本発明は、流体管に穿設された分岐口を閉塞するための閉塞装置の改良に関する。
【０００２】
【従来の技術】
例えば、水道管等の流体管に接続されている分岐管は、施工した後何らかの事情で撤去する必要が生じることがあり、その際は、流体管内の水道水の流れを止めないで、すなわち不断水状態で分岐口を閉塞する必要がある。
【０００３】
本願出願人は、この際に用いられる閉塞装置を開発し、既に特許出願している（特開平７−２１７７８４号参照）。
【０００４】
この先願のものにおいて別実施例として開示されている閉塞装置は、図９に示すように、閉塞装置ａ全体を流体管ｂの分岐口ｃより抜止めする手段は、押え駒ｄのガイド溝ｅ内に半径方向に摺動可能として収容された１対の係止片ｆの各内端上縁の傾斜面ｇに、押え駒ｄ内に摺動可能に収容された軸ｈの先端のテーパ面ｉを当接させ、軸ｈを押込むことにより、そのテーパ面ｉにより両係止片ｆを管軸方向に押動してその先端部をガイド溝ｅより突出させ、流体管ｂの内壁に係止させるように構成されている。
【０００５】
【発明が解決しようとする課題】
上述した従来の閉塞装置では、両係止片ｆを内方に復帰させて流体管ｂとの係合を解除する手段が設けられていないため、閉塞装置を取外す必要が生じた際にそれが不可能であり、再使用したり、パッキン等の保守点検ができなかった。
【０００６】
また、閉塞装置を流体管ｂの側壁の分岐口に装着する際、係止片ｆや軸ｈの自重によりガイド溝ｅより突出するのを防止するために、粘着テープ等によりガイド溝ｅの開口部を塞いでおく必要があり、その作業が煩雑であった。
【０００７】
本発明は、上記問題点を解決するためになされたもので、係止片を進退させる作動駒を付加することにより、流体管との係脱が自在で、かつ自重によるストッパの突出を防止することができるようにした分岐口の閉塞装置を提供することを目的としている。
【０００８】
【課題を解決するための手段】
上記目的を達成するために、本発明の分岐口の閉塞装置は、流体管に穿設された分岐口内に挿入可能な押え駒と、この押え駒の外周面に嵌合され、かつ内方の端面が押え駒の先端の拡径部と当接するパッキンと、前記押え駒に、移動手段によって相対移動可能に設けられ、かつ前記パッキンの外方の端面を押圧して径方向に弾性変形させることにより、その外周面を前記分岐口に圧設させるパッキン押えと、前記押え駒内に管軸方向に移動可能として設けられ、かつ先端部が押え駒より突出することにより、流体管の内周面に係合しうる少くとも１対の係止部材とを備える分岐口の閉塞装置において、
前記押え駒内には、側面視ほぼ三角板状をなす作動駒が収容され、該作動駒には、その外周面に末広がり状に傾斜する案内面が形成されるとともに、その頂部に連設した角軸部を、押え駒の角形の軸孔に対して相対回転不能に貫設させており、該作動駒を押え駒内に収容した圧縮コイルばねにより流体管の外方に向かって付勢するとともに、前記角軸部を前記押え駒の外部から操作することによって、前記作動駒が角軸部の軸方向に移動可能に構成されており、
前記少くとも１対の係止部材同士を、引張り手段をもって互いに接近する方向に付勢して連係するとともに、前記係止部材の基端面が、前記作動駒の案内面上に摺動可能に当接されており、
係止部材の基端部に切欠溝を形成するとともに、作動駒の案内面の先端部にストッパ部を形成し、前記切欠溝と前記ストッパ部とが、作動駒の最外方への移動時に係合し、係止部材を突出状態に保持するようにしたことを特徴としている。
【０００９】
本発明の分岐口の閉塞装置は、流体管に穿設された分岐口内に挿入可能な押え駒と、この押え駒の外周面に嵌合され、かつ内方の端面が押え駒の先端の拡径部と当接するパッキンと、前記押え駒に、移動手段によって相対移動可能に設けられ、かつ前記パッキンの外方の端面を押圧して径方向に弾性変形させることにより、その外周面を前記分岐口に圧設させるパッキン押えと、前記押え駒内に管軸方向に移動可能として設けられ、かつ先端部が押え駒より突出することにより、流体管の内周面に係合しうる少くとも１対の係止部材とを備える分岐口の閉塞装置において、
前記押え駒内には、円錐形状をなす作動駒が収容され、該作動駒には、その外周面に末広がり状に傾斜する案内面が形成されるとともに、その頂部に連設したねじ杆を、押え駒に対して相対回転可能に螺合させており、該ねじ杆を前記押え駒の外部から操作することによって、前記作動駒がねじ杆の軸方向に移動可能に構成されており、
前記少くとも１対の係止部材同士を、引張り手段をもって互いに接近する方向に付勢して連係するとともに、前記係止部材の基端面が、前記作動駒の案内面上に摺動可能に当接されており、
係止部材の基端部に切欠溝を形成するとともに、作動駒の案内面の先端部にストッパ部を形成し、前記切欠溝と前記ストッパ部とが、作動駒の最外方への移動時に係合し、係止部材を突出状態に保持するようにしたことを特徴としている。
【００１２】
上記係止部材と作動駒の案内面との互いの摺接面の少くともいずれか一方を、硬質かつ摩擦係数の小さな材料により被覆するのが好ましい。
【００１３】
本発明のによると、押え駒内に管軸方向に移動可能として設けられた例えば１対の係止部材同士を、引張り手段により連係し、かつ両係止部材の基端を、軸方向に移動可能な作動駒の末広がり状に傾斜する案内面上に摺接させたことにより、作動駒を軸方向に移動させるだけで、両係止部材は管軸方向に容易に進退移動させられ、流体管との係脱を自在に行うことができる。
【００１４】
【発明の実施の形態】
以下、本発明の実施例を図面に基づいて説明する。
【００１５】
図１は、本発明の閉塞装置Ａを、水道本管１の分岐口１ａに装着した状態（割Ｔ字管及び分岐管を撤去した状態）を示す中央縦断正面図、図２は、同じく側面図である。
【００１６】
両図において、２は押え駒で、分岐口１ａより小径の厚肉円板状の駒本体３と、その下面に複数のボルト４により固着されたパッキン支持駒５とからなっている。
【００１７】
駒本体３の中心に上向連設された操作軸３ａの外周面の上半部と下半部には、それぞれ小径雄ねじ６と大径雄ねじ７とが形成され、また大径雄ねじ７側の操作軸３ａの管軸方向の両側面は、平削面３ｂとしてある。
【００１８】
駒本体３の中心には、四角形の軸孔８が貫設され、その下端部は、八字形断面のテーパ孔９となっている。
【００１９】
パッキン支持駒５は、上半部が駒本体３とほぼ等外径をなし、下半部には、下向円弧状に湾曲する拡径部５ａが連設されている。
【００２０】
パッキン支持駒５の上面中央には、管軸方向に長い矩形をなす有底孔１０が形成され、また有底孔１０における管軸方向の両端に連なる上面には、有底孔１０の短辺と等幅をなす１対の案内溝１１が、管軸方向に向かって形成されている。
【００２１】
駒本体３の上部には、キャップ状のパッキン押え１２が上下に摺動可能として嵌合され、その中心に穿設された小判形の貫通孔１３は、操作軸３ａの下半部に相対回転不能かつ上下に移動可能として嵌合されている。
【００２２】
パッキン押え１２の上面には、操作軸３ａの大径雄ねじ７に螺挿されたナット１４の下面が当接しており、ナット１４を回転することにより、押え駒２とパッキン押え１２とを相対的に移動させることができる。
【００２３】
駒本体の軸孔８とテーパ孔９、及びパッキン支持駒５の有底孔１０内には、下端部に側面視三角板状のスライド板１５ａを有し、かつその頂部に上向きに連設されたガイド軸の上部が角軸部１５ｂとなったステンレス製の作動駒１５が、角軸部１５ｂを軸孔８に摺動可能に嵌合することにより、上下動可能に収容されている。
【００２４】
スライド板１５ａの中央には、下端が開口する上向きの有底孔１６が形成され、この有底孔１６内には、圧縮コイルばね１７が収容されている。これにより、作動駒１５全体は上向きに付勢され、分岐口１ａ内に挿入される前の状態においては、スライド板１５ａのほぼ４５度に傾斜する末広がり状の両案内面１５ｃが、駒本体３のテーパ孔９と当接する上限位置まで押し上げられている（図６参照）。
【００２５】
上記パッキン支持駒５の両案内溝１１には、ステンレス製の１対の係止板１８が、管軸方向にスライド可能として嵌合されている。
【００２６】
各係止板１８は、図３及び図４に拡大して示すように、その基端部下面の傾斜面１８ａが、作動駒１５の各案内面１５ｃに接触している。
【００２７】
両係止板１８同士は、各基端部の作動駒１５を挟む両側端に形成された係止溝１９の対向部同士に、それぞれ引張りコイルばね２０の両端を係止することにより互いに連係されている。なお、引張りコイルばね２０のばね定数は、上記圧縮コイルばね１７のそれよりも十分小さくしてある。
【００２８】
各係止板１８の基端部下面には逆Ｌ字状の切欠溝２１が形成され、この切欠溝２１は、作動駒１５が上限位置まで移動した際、スライド板１５ａの下部両端に形成された水平をなすストッパ部２２と自動的に係合して係止されるようになっている。
【００２９】
上記押え駒２の外周面には、ゴム製のパッキン２３が嵌合されており、パッキン支持駒５の拡径部５ａとパッキン押え１２とにより挟圧されるようになっている。
【００３０】
次に、上記実施例の閉塞装置Ａを水道本管１の分岐口１ａに装着する際の要領について説明する。
【００３１】
まず、分岐口１ａの周囲の水道本管１に装着された割Ｔ字管に取付けた制水弁により、分岐管側への水の流れを遮断して分岐管を取外したのち、閉塞装置Ａの装着装置を取付ける。
【００３２】
なお、上記分岐管を不断水状態で撤去する工法は、本願出願人らが既に種々提案しており、これと同じ要領で行われるので、割Ｔ字管や制水弁、分岐管等の図示を省略する。
【００３３】
また、閉塞装置Ａの装着装置についても、特開平７−２１７７８４号公報に開示されているものとほぼ同じ構成のものを用いて行いうるので、その図示及び詳細な説明を省略する。
【００３４】
上記装着装置のロッドの先端に、閉塞装置Ａの小径雄ねじ６を螺合して支持する。この際、図１及び図２に示すように、ナット１４を緩めて押え駒２全体を下方に移動させ、パッキン２３が挟圧されないようにしておく。
【００３５】
ついで、装着装置の押込ロッドの先端を操作軸３ａの軸孔８に挿入して、作動駒１５の角軸部１５ｂを押圧し、作動駒１５を圧縮コイルばね１７を圧縮させて下限位置まで押し下げる。
【００３６】
これにより、作動駒１５の両案内面１５Ｃに摺接している各係止板１８は、引張りコイルばね２０により引かれ、図２に示すように、案内面１５ｃの上端と当接するまで内方に引き込まれ、パッキン支持駒５の案内溝１１内に収容される。
【００３７】
この状態で閉塞装置Ａ全体を分岐口１ａ内に挿入し、パッキン押え１２を水道本管１の外周面に当接させる（図２参照）。
【００３８】
ついで、ナット１４を回転させて押え駒２全体を引き上げると同時に、それまで押圧していた作動駒１５を解放させる。すると、図５及び図６に示すように、パッキン２３が、パッキン支持駒５の拡径部５ａとパッキン押え１２とにより圧縮され、その外周面が分岐口１ａに圧接することによりこれが閉塞される。
【００３９】
一方、作動駒１５が、圧縮コイルばね１７の付勢力により上限位置まで押し上げられることにより、各係止板１８は、作動駒１５の案内面１５ｃ上を引張りコイルばね２０に抗して摺動して管軸方向に押動させられ、先端がパッキン支持駒５の案内溝１１より突出する。
【００４０】
これにより、閉塞装置Ａに分岐口１ａよりの抜出し力が作用しても、両係止板１８が水道本管１の内周面に係合することにより抜け止めされる。
【００４１】
なお、作動駒１５が上限位置まで押し上げられ、両係止板１８が案内面１５ｃの下端に到達した際において、係止板１８の切欠溝２１が作動駒１５のストッパ部２２と自動的に係合することにより、また係合時における引張りコイルばね２０の付勢力により、係止板１８は突出状態に保持される。
【００４２】
分岐口１ａを閉塞装置Ａにより閉塞したのち、割Ｔ字管、制水弁及び装着装置等を取外せば、図５及び図６に示す使用状態となる。
【００４３】
万一、閉塞装置Ａを分岐口１ａより取外す必要が生じた際には、作動駒１５の角軸部１５ｂを強く押圧して作動駒１５を下限位置まで押し下げ、係止板１８の切欠溝２１とストッパ部２２との係合を解除したのち、ナット１４を緩めてパッキン２３の圧縮力を解放すればよい。
【００４４】
すなわち、作動駒１５を押圧することにより、両係止板１８は、引張りコイルばね２０により、案内面１５ｃの上端に位置するまで引き込まれ、図２に示すように案内溝１１内に収容されて水道本管１との係合が解除されるため、閉塞装置Ａを分岐口１ａより容易に取外すことができる。
【００４５】
以上説明したように、上記実施例の閉塞装置Ａにおいては、進退手段である作動駒１５の案内面１５ｃの作用により、両係止板１８を管軸方向に進退させて、水道本管１との係脱を自在に行いうるので、閉塞装置Ａを取外して再使用したり、パッキン２３等の保守点検が可能となる。
【００４６】
また、両係止板１８同士は、引張りコイルばね２０により互いに連係されているため、閉塞装置Ａを水道本管１の側壁に穿設された分岐口に装着する際でも、係止板１８が自重により案内溝１１より突出する不都合は解消される。
【００４７】
本発明は、上記実施例に限定されるものではない。
【００４８】
上記実施例では、作動駒１５と係止板１８とは金属同士の接触面としてあるが、例えば図７に示すように、作動駒１５の案内面１５ｃとストッパ部２２の表面を、ポリアセタール、ポリアミド樹脂、超高分子量ポリエチレン等の硬質かつ低摩擦係数の合成樹脂材２４によりコーティングするかモールドし（右方は図示略）、係止板１８との接触面の摩擦抵抗を小さくするようにしてもよい。
【００４９】
このようにすると、両係止板１８の進退移動が円滑となることから、作動駒１５を上方に付勢する圧縮コイルばね１７や引張りコイルばね２０のばね定数を小さくすることが可能となり、その結果、作動駒１５の操作力も小さくて済む。
【００５０】
なお、上述のような合成樹脂材２４を、係止板１８の傾斜面１８ａにも設けてもよく、このようにすると、係止板１８の進退移動はより円滑となる。
【００５１】
図８は、上記係止板と作動駒の変形例を示す。
【００５２】
この例では、作動駒２５を、下端にストッパ部２５ａを有する円錐形とするとともに、その頂部に雄ねじ杆２６を連設し、この雄ねじ杆２６を、駒本体３における軸孔８に形成した雌ねじ（図示略）に螺合し、雄ねじ杆２６の上端部に形成した角孔２７に操作ロッドを挿入して回転させることにより、ねじ送りにより上下動させうるようにしてある。
【００５３】
一方、両係止板２８の基端部を円弧状とするとともに、その下面に形成した傾斜面２８ａを、上記作動駒２５のテーパ状の案内面２５ｂに接触させてある。両係止板２８同士は、上記実施例と同様、１対の引張りコイルばね２９により連結されている。
【００５４】
作動駒２５を例えば左回転させて、上方に引き上げると、上記と同様、両係止板２８が案内面２５ｂに沿ってその下端まで移動させられることにより、パッキン支持駒５の案内溝１１より突出する。この状態で、係止板２８の切欠溝２８ｂがストッパ部２５ａと係合し、突出状態に保持される。
【００５５】
上記と反対に作動駒２５を右回転させて、下限位置まで移動すると、両係止板２８は案内面２５ｂの上方に変位させられるとともに、引張りコイルばね２９の付勢力により内方に引かれ、案内溝１１内に収容される。
【００５６】
なお、この変形例においても、作動駒２５と係止板２８との互いの摺動面のいずれか一方又は両方に、上記のような合成樹脂材２４をコーティング等してもよい。
【００５７】
この変形例では、作動駒２５の回り止め手段を設ければ、係止板２８の切欠溝２８ｂ及び作動駒２５のストッパ部２５ａは省略することもできる。
【００５８】
また、前述した三角板状の作動駒１５を用いる際でも、圧縮コイルばね１７の定数を、引張りコイルばね２０の引張り力に勝るように十分に大きくすれば、係止板１８の切欠溝２１や作動駒１５のストッパ部２２を省略することができる。
【００５９】
なお、実施例１においては、作動駒１５、２５を下方から上方へ向けて移動させているが、図９の従来例に示されるように上方から下方へ向けて移動させることも可能である。
【００６０】
【発明の効果】
本発明によれば、次のような効果が得られる。
【００６１】
請求項１の発明によると、作動駒を角軸部の軸方向へ移動すると、両係止部材は管軸方向に進退移動させられ、流体管との係脱がなされるので、閉塞装置全体を取外して再使用したり、保守点検が容易となる。また、係止部材同士は、引張り手段により互いに連係されているので、押え駒より妄りに突出する恐れはない。また、作動駒を外部より単に押圧するだけで、係止部材を進退移動させることができる。また、作動駒の最外方への移動時に、係止部材を突出させた状態でロック保持しうるので、振動や流体圧等により係止部材と流体管との係合が解除される恐れがない。
【００６２】
請求項２の発明によると、作動駒をねじ杆の軸方向へ移動すると、両係止部材は管軸方向に進退移動させられ、流体管との係脱がなされるので、閉塞装置全体を取外して再使用したり、保守点検が容易となる。また、係止部材同士は、引張り手段により互いに連係されているので、押え駒より妄りに突出する恐れはない。また、作動駒が回転しながら移動するため、係止部材の進退移動が円滑となる。また、作動駒の最外方への移動時に、係止部材を突出させた状態でロック保持しうるので、振動や流体圧等により係止部材と流体管との係合が解除される恐れがない。
【００６５】
請求項３の発明によると、係止部材と作動駒の案内面との摩擦抵抗が小さくなるため、係止部材の進退移動や作動駒の移動が円滑となり、引張り手段のばね力や作動駒の操作力が小さくて済むことから、作業性が向上する。
【００６６】
【図面の簡単な説明】
【図１】本発明の実施例における分岐口の閉塞前及び係止板の突出前の状態を示す中央縦断正面図である。
【図２】同じく中央縦断側面図である。
【図３】係止板と作動駒との連係状態を示す拡大側面図である。
【図４】同じく一部切欠平面図である。
【図５】分岐口の閉塞時及び係止板を突出させた状態を示す中央縦断正面図である。
【図６】同じく中央縦断側面図である。
【図７】作動駒の案内面を合成樹脂材により被覆した例を示す要部の拡大断面図である。
【図８】作動駒の変形例を示す斜視図である。
【図９】従来の閉塞装置の中央縦断側面図である。
【符号の説明】
１          水道本管（流体管）
１ａ        分岐口
２          押え駒
３          駒本体
３ａ        操作軸
４          ボルト
５          パッキン支持駒
６          小径雄ねじ
７          大径雄ねじ
８          軸孔
９          テーパ孔
１０        有底孔
１１        案内溝
１２        パッキン押え
１３        貫通孔
１４        ナット
１５        作動駒（進退手段）
１５ａ      スライド板
１５ｂ      角軸部
１５ｃ      案内面（摺接面）
１６        有底孔
１７        圧縮コイルばね
１８        係止板（係止部材）
１８ａ      傾斜面（基端面）
１９        係止溝
２０        引張りコイルばね（引張り手段）
２１        切欠溝
２２        ストッパ部
２３        パッキン
２４        合成樹脂材
２５        作動駒
２５ａ      ストッパ部
２５ｂ      案内面（摺接面）
２６        雄ねじ杆
２７        角孔
２８        係止板（係止部材）
２８ａ      傾斜面（基端面）
２８ｂ      切欠溝
２９        引張りコイルばね（引張り手段）
【図１】
0003916735.tif 000002
【図２】
0003916735.tif 000003
【図３】
0003916735.tif 000004
【図４】
0003916735.tif 000005
【図５】
0003916735.tif 000006
【図６】
0003916735.tif 000007
【図７】
0003916735.tif 000008
【図８】
0003916735.tif 000009
【図９】
0003916735.tif 000010